(57)【要約】【課題】エッジゴーストの発生を抑制することが可能な表示装置および駆動方法、電子機器を提供する。【解決手段】この表示装置は、電気泳動素子を含むと共に複数の画素を有する画素部と、画素部の各画素に対し、少なくとも２値を切り替える電圧波形を複数フレームにわたって印加することにより画素の表示状態を変化させる駆動を行う駆動部とを備える。駆動部は、複数の画素のうちの隣り合う第１および第２の画素が互いに異なる表示状態を有する場合に、第１および第２の画素に印加する各電圧波形の組み合わせとして、第１および第２の画素に対して印加される各電圧値の差分がより小さくなる組み合わせを用いて、駆動を行うものである。【選択図】図１
2017120315.tif 000002
【特許請求の範囲】
【請求項１】
電気泳動素子を含むと共に複数の画素を有する画素部と、
前記画素部の各画素に対し、少なくとも２値を切り替える電圧波形を複数フレームにわたって印加することにより前記画素の表示状態を変化させる駆動を行う駆動部と、
を備え、
前記駆動部は、前記複数の画素のうちの隣り合う第１および第２の画素が互いに異なる表示状態を有する場合に、
前記第１および第２の画素に印加する各電圧波形の組み合わせとして、前記第１および第２の画素に対して印加される各電圧値の差分がより小さくなる組み合わせを用いて、前記駆動を行う
表示装置。
【請求項２】
前記駆動部は、
前記第１および第２の画素以外の各画素に対して、画像表示用の第１の電圧波形を印加して前記駆動を行い、
前記第１および第２の画素の一方または両方に対して、前記第１の電圧波形の一部が置換されてなる第２の電圧波形を印加して前記駆動を行う
請求項１に記載の表示装置。
【請求項３】
前記第１の電圧波形を保持する第１の保持部と、
前記第２の電圧波形を保持する第２の保持部と
を更に備えた
請求項２に記載の表示装置。
【請求項４】
前記駆動部は、前記第１および第２の電圧波形をそれぞれ演算処理によって生成する
請求項２に記載の表示装置。
【請求項５】
前記画素部に表示される画像において前記第１および第２の画素を含む輪郭部分を検出する検出部を更に備えた
請求項１に記載の表示装置。
【請求項６】
前記電圧波形は、少なくとも、負の第１電圧値と正の第２電圧値とを切り替える形状を有する
請求項１に記載の表示装置。
【請求項７】
前記電圧波形はそれぞれ、前記第１電圧値と、前記第２電圧値と、前記第１電圧値および前記第２電圧値の中間の第３電圧値とを切り替える形状を有する
請求項６に記載の表示装置。
【請求項８】
前記第１および第２の画素に印加される各電圧波形の組み合わせは、前記第１および第２の画素のうちの一方の画素に前記第１電圧値が、他方の画素に前記第２電圧値がそれぞれ印加されるフレームが相対的に少ない組み合わせである
請求項６に記載の表示装置。
【請求項９】
前記第１および第２の画素に印加される各電圧波形の組み合わせでは、各フレームにおいて、
前記第１の画素に対して、前記第１電圧値、前記第２電圧値および前記第３電圧値のうちのいずれかが印加され、
前記第２の画素に対して、前記第１の画素に前記第１電圧値または前記第２電圧値が印加される場合には前記第１の画素と同電圧または前記第３電圧値が印加され、前記第１の画素に前記第３電圧値が印加される場合には前記第１電圧値、前記第２電圧値および前記第３電圧値のうちのいずれかが印加される
請求項７に記載の表示装置。
【請求項１０】
前記電気泳動素子は、
前記画素毎に設けられた第１電極と、
複数の前記第１電極に対向して配置された第２電極と、
前記複数の第１電極と前記第２電極との間に封止され、泳動粒子を含むと共に印加電圧に応じて光反射特性が変化する表示体と
を有する
請求項１に記載の表示装置。
【請求項１１】
電気泳動素子を含む複数の画素のそれぞれに対し、少なくとも２値を切り替える電圧波形を複数フレームにわたって印加して前記画素の表示状態を変化させる駆動を行い、
前記複数の画素のうちの隣り合う第１および第２の画素が互いに異なる表示状態を有する場合に、前記第１および第２の画素に印加する各電圧波形の組み合わせとして、前記第１および第２の画素に対して印加される各電圧値の差分がより小さくなる組み合わせを用いて、前記駆動を行う
駆動方法。
【請求項１２】
前記第１および第２の画素以外の各画素に対して、画像表示用の第１の電圧波形を印加して前記駆動を行い、
前記第１および第２の画素の一方または両方に対して、前記第１の電圧波形の一部が置換されてなる第２の電圧波形を印加して前記駆動を行う
請求項１１に記載の駆動方法。
【請求項１３】
前記画像における前記第１および第２の画素を含む輪郭部分を検出する
請求項１１に記載の駆動方法。
【請求項１４】
前記電圧波形は、少なくとも、負の第１電圧値と正の第２電圧値とを切り替える形状を有する
請求項１１に記載の駆動方法。
【請求項１５】
前記電圧波形はそれぞれ、前記第１電圧値と、前記第２電圧値と、前記第１電圧値および前記第２電圧値の中間の第３電圧値とを切り替える形状を有する
請求項１４に記載の駆動方法。
【請求項１６】
前記第１および第２の画素に印加される各電圧波形の組み合わせは、前記第１および第２の画素のうちの一方の画素に前記第１電圧値が、他方の画素に前記第２電圧値がそれぞれ印加されるフレームが相対的に少ない組み合わせである
請求項１４に記載の駆動方法。
【請求項１７】
前記第１および第２の画素に印加される各電圧波形の組み合わせでは、各フレームにおいて、
前記第１の画素に対して、前記第１電圧値、前記第２電圧値および前記第３電圧値のうちのいずれかが印加され、
前記第２の画素に対して、前記第１の画素に前記第１電圧値または前記第２電圧値が印加される場合には前記第１の画素と同電圧または前記第３電圧値が印加され、前記第１の画素に前記第３電圧値が印加される場合には前記第１電圧値、前記第２電圧値および前記第３電圧値のうちのいずれかが印加される
請求項１５に記載の駆動方法。
【請求項１８】
電気泳動素子を含むと共に複数の画素を有する画素部と、
前記画素部の各画素に対し、少なくとも２値を切り替える電圧波形を複数フレームにわたって印加することにより前記画素の表示状態を変化させる駆動を行う駆動部と
を備え、
前記駆動部は、前記複数の画素のうちの隣り合う第１および第２の画素が互いに異なる表示状態を有する場合に、
前記第１および第２の画素に印加する各電圧波形の組み合わせとして、前記第１および第２の画素に対して印加される各電圧値の差分がより小さくなる組み合わせを用いて、前記駆動を行う
表示装置
を備えた電子機器。
【発明の詳細な説明】
【技術分野】
【０００１】
本開示は、電気泳動素子を用いた表示装置および駆動方法、ならびに電子機器に関する。
【背景技術】
【０００２】
電気泳動素子を用いたアクティブマトリクス型の表示装置では、画像の書き換えを行う際に、それまで表示されていた画像の情報と、次に表示したい画像の情報とに基づいて、各画素に印加される電圧波形（Waveform）が決定され、この電圧波形を用いて各画素が表示駆動される。
【０００３】
ところが、このような電気泳動素子を用いた表示装置では、書き換え後の画像に前の画像の一部が残る現象（残像）が生じたり、画像の輪郭部分の画質が劣化する現象（エッジゴースト）が発生することがある。
【０００４】
そこで、例えば特許文献１には、画像に生じたエッジゴーストを補正する手法が提案されている。この手法では、エッジゴーストが生じた部分に対して、それを打ち消すような電圧を印加することにより、該部分の表示状態を変化させてエッジゴーストを目立たなくすることができる。
【先行技術文献】
【特許文献】
【０００５】
【特許文献１】特開２０１２−９３４０６号公報
【発明の概要】
【発明が解決しようとする課題】
【０００６】
しかしながら、上記特許文献１の手法では、エッジゴーストを補正するために更に電圧を印加する（上書きする）時間を要する。このため、エッジゴーストが強く生じている場合には、補正に長時間を要する、あるいは補正自体が困難となる。また、上書きによって新たなエッジゴーストが発生する場合もある。このように、発生したエッジゴーストを事後的に補正する手法では、エッジゴーストによる画質劣化を十分に抑制することが困難である。
【０００７】
本開示はかかる問題点に鑑みてなされたもので、その目的は、画質劣化を抑制することが可能な表示装置および駆動方法ならびに電子機器を提供することにある。
【課題を解決するための手段】
【０００８】
本開示の表示装置は、電気泳動素子を含むと共に複数の画素を有する画素部と、画素部の各画素に対し、少なくとも２値を切り替える電圧波形を複数フレームにわたって印加することにより画素の表示状態を変化させる駆動を行う駆動部とを備える。駆動部は、複数の画素のうちの隣り合う第１および第２の画素が互いに異なる表示状態を有する場合に、第１および第２の画素に印加する各電圧波形の組み合わせとして、第１および第２の画素に対して印加される各電圧値の差分がより小さくなる組み合わせを用いて、駆動を行うものである。
【０００９】
本開示の駆動方法は、電気泳動素子を含む複数の画素のそれぞれに対し、少なくとも２値を切り替える電圧波形を複数フレームにわたって印加して画素の表示状態を変化させる駆動を行い、複数の画素のうちの隣り合う第１および第２の画素が互いに異なる表示状態を有する場合に、第１および第２の画素に印加する各電圧波形の組み合わせとして、第１および第２の画素に対して印加される各電圧値の差分がより小さくなる組み合わせを用いる。
【００１０】
本開示の電子機器は、上記本開示の表示装置を備えたものである。
【００１１】
本開示の表示装置および駆動方法ならびに電子機器では、隣り合う第１および第２の画素が互いに異なる表示状態を有する場合に、第１および第２の画素に印加する各電圧波形との組み合わせとして、第１および第２の画素に対して印加される各電圧値の差分がより小さくなる組み合わせを用いる。これにより、隣り合う第１および第２の画素間において横方向に生じる電界が低減され、エッジゴーストの発生が抑制される。
【発明の効果】
【００１２】
本開示の表示装置および駆動方法ならびに電子機器によれば、隣り合う第１および第２の画素が互いに異なる表示状態を有する場合に、第１および第２の画素に印加する各電圧波形との組み合わせとして、第１および第２の画素に対して印加される各電圧値の差分がより小さくなる組み合わせを用いる。これにより、隣り合う第１および第２の画素が異なる表示状態を有する場合に、エッジゴーストの発生を抑制することができる。よって、画質劣化を抑制することが可能となる。
【００１３】
尚、上記内容は本開示の一例である。本開示の効果は、上述したものに限らず、他の異なる効果であってもよいし、更に他の効果を含んでいてもよい。
【図面の簡単な説明】
【００１４】
【図１】本開示の一実施形態に係る表示装置の全体構成を表す機能ブロック図である。
【図２】図１に示した画素アレイ部の要部構成を表す断面図である。
【図３】表示駆動動作を説明するための模式図である。
【図４】各画素を駆動する電圧波形の一例を表す図である。
【図５】黒表示状態を表す断面模式図である。
【図６】白表示状態を表す断面模式図である。
【図７】黒表示状態と白表示状態との境界領域を表す断面模式図である。
【図８】画素アレイ部に表示される画像の一例を表す図である。
【図９】図８の一部の領域を拡大した図である。
【図１０】比較例１に係る駆動方法により書き込む画像を表す模式図である。
【図１１】比較例１に係る駆動方法により表示される画像を表す模式図である。
【図１２】比較例２に係る駆動方法を説明するための模式図である。
【図１３】本実施の形態に係る駆動方法に用いる電圧波形を模式図である。
【図１４】実施例１に係る駆動方法により書き込む画像を表す模式図である。
【図１５】実施例１に係る駆動方法により表示される画像を表す模式図である。
【図１６】変形例１に係る電圧波形の一例を表す図である。
【図１７】白表示状態を保持する画素と白からグレーに表示状態が変化する画素との各電圧波形の組み合わせの置換例を表す図である。
【図１８】黒表示状態を保持する画素とグレーの表示状態を保持する画素との各電圧波形の組み合わせの置換例を表す図である。
【図１９】比較例３に係る駆動方法により書き込む画像を表す模式図である。
【図２０】比較例３に係る駆動方法により表示される画像を表す模式図である。
【図２１】実施例２に係る駆動方法により書き込む画像を表す模式図である。
【図２２】実施例２に係る駆動方法により表示される画像を表す模式図である。
【図２３】変形例２に係る表示体を説明するための模式図である。
【図２４Ａ】適用例１の外観を表す斜視図である。
【図２４Ｂ】図２４Ａに示した電子ブックの他の例を表す斜視図である。
【図２５】適用例２の外観を表す斜視図である。
【図２６Ａ】適用例３の外観を表す斜視図である。
【図２６Ｂ】図２６Ａに示した電子時計の他の表示例を表す斜視図である。
【発明を実施するための形態】
【００１５】
以下、本開示の実施形態について、図面を参照して詳細に説明する。なお、説明する順序は、下記の通りである。
１．実施の形態（隣接画素に対して所定の組み合わせとなる電圧波形をそれぞれ印加して駆動を行う電気泳動型の表示装置の例）
２．変形例１（グレーの表示状態を有する画素の駆動例）
３．変形例２（表示体に多孔質層を用いた場合の例）
４．適用例（電子機器の例）
【００１６】
＜実施の形態＞
［構成］
図１は、本開示の第１の実施形態の表示装置（表示装置１）の全体構成を表したものである。表示装置１は、例えば電気泳動素子を用いて画像を表示する反射型の表示装置である。
【００１７】
表示装置１は、例えば、画素アレイ部１０と、パネル制御部５１と、ゲート駆動ユニット５２と、ソース駆動ユニット５３と、データ置換部５４と、中央制御部５０とを備える。この表示装置１は、更に、ＬＵＴ（ルックアップテーブル）５５Ａ，５５Ｂと、輪郭（エッジ）検出部５６と、記憶部５７Ａ，５７Ｂとを備えている。尚、本実施の形態におけるパネル制御部５１、ゲート駆動ユニット５２、ソース駆動ユニット５３、データ置換部５４および中央制御部５０が、本開示における「駆動部」の一具体例に相当する。また、ＬＵＴ５５Ａ，５５Ｂが、本開示の「第１の保持部」および「第２の保持部」の一具体例に相当する。
【００１８】
画素アレイ部１０は、例えばマトリクス状に配置された複数の画素Ｐを含み、薄膜トランジスタ（ＴＦＴ：Thin Film Transistor）を用いたアクティブマトリクス駆動方式によって表示駆動されるものである。画素アレイ部１０は、詳細は後述するが、例えば電気泳動素子を含み、画素Ｐ毎に光反射率を変化させることにより画像（文字など）を表示するものである。この画素アレイ部１０は、ゲート駆動ユニット５２およびソース駆動ユニット５３に接続されている。ゲート駆動ユニット５２から行方向に沿って延設された複数のゲート線（ゲート電圧供給線）１１０Ｇと、ソース駆動ユニット５３から列方向に沿って延設された複数のソース線（ソース電圧供給線）１１０Ｓとの各交点に、画素Ｐが形成されている。
【００１９】
パネル制御部５１は、画素アレイ部１０を表示駆動するために必要な信号の生成を行うものであり、例えばタイミングコトローラおよび表示用信号生成部等を有している。このパネル制御部５１は、共通電圧供給線１１０Ｃを介して、例えば各画素Ｐに対して共通電位（グランド電位あるいはオフセット電位）を供給可能となっている。パネル制御部５１は、例えばフレーム単位でのパルス幅変調（ＰＭＷ：Pulse Width Modulation）方式により、画素Ｐ毎の階調表示を行うように構成されている。即ち、各画素Ｐに対して複数のフレームにわたって少なくとも２値を切り替えて印加し、画素Ｐ毎の表示状態を変化させることにより、画素アレイ部１０の表示駆動を行うものである。
【００２０】
ゲート駆動ユニット５２は、パネル制御部５１から供給される制御信号に従って複数のゲート線１１０Ｇに対してゲート信号（走査信号）を順次印加することにより、複数の画素Ｐを順次選択するものである。ソース駆動ユニット５３は、パネル制御部５１から供給される制御信号に従って、画像信号に対応するアナログの信号を生成し、各ソース線１１０Ｓに印加するものである。ソース駆動ユニット５３により各ソース線１１０Ｓに対して印加された表示用の信号（後述の電圧波形Ｄｐ，Ｄｐａに対応する信号）が、ゲート駆動ユニット５２により選択された画素Ｐに対して印加されるようになっている。
【００２１】
データ置換部５４は、画像表示用の信号（電圧波形Ｄｐに対応する信号）のうち輪郭部分に相当する画素の信号を、予め保持された電圧波形（電圧波形Ｄｐａ）についての情報に基づいて置換する処理を行うものである。具体的には、データ置換部５４は、画像表示用の信号としてＬＵＴ５５Ａに保持された複数種類の電圧波形Ｄｐのうちの一部（輪郭部分に相当する隣接２画素に与える電圧波形）を、ＬＵＴ５５Ｂに保持された情報を用いて置換する処理を行うものである。
【００２２】
ＬＵＴ５５Ａ（第１の保持部）は、画像表示用の信号の電圧波形Ｄｐ（第１の電圧波形）についての情報を保持するものである。電気泳動素子を用いた表示駆動では、画素の表示状態の変化、例えば黒から白、白から黒、黒から黒、白から白、といった変化に応じて、画素に印加される電圧波形（Waveform）は様々なパターンをとりうる。換言すると、画像の書き換えの際には、それまで表示されていた画像の情報（記憶部５７Ａに保持された画像情報）と、次に表示したい画像の情報（記憶部５７Ｂに保持された画像情報）とに基づいて、各画素に印加される電圧波形Ｄｐが設定される。これらの表示状態の変化に応じた複数種類の電圧波形Ｄｐについての情報が、ＬＵＴ５５Ａとして予め保持されている。
【００２３】
ＬＵＴ５５Ｂ（第２の保持部）は、画像表示用の信号の電圧波形Ｄｐ（ＬＵＴ５５Ａに保持された電圧波形）の一部が置換されてなる電圧波形Ｄｐａ（第２の電圧波形）についての情報を保持するものである。このＬＵＴ５５Ｂに保持される電圧波形Ｄｐａは、画像の輪郭部分に対応する領域に配置された隣接２画素（後述の画素Ｐ１，Ｐ２）のうちの一方または両方に印加されるためのものである。
【００２４】
輪郭検出部５６（検出部）は、画素アレイ部１０に表示する画像のうち輪郭（エッジ）部分を、例えば所定の演算処理により検出する。具体的には、隣接する画素の各データ間の微分演算処理を用いた手法、あるいはエッジ検出フィルタ等のアルゴリズムを用いた手法により検出することができる。この輪郭検出部５６が、表示する画像において、輪郭部分に配置された画素（表示状態の異なる、隣り合う２つの画素）を検出する。
【００２５】
本実施の形態では、表示状態の異なる隣り合う２画素に対して、印加される電圧波形の組み合わせを最適化する駆動がなされる。具体的には、隣り合う２つの画素が互いに異なる表示状態（白、黒またはグレー等）を有する場合に、これらの２画素に印加する各電圧波形との組み合わせとして、ＬＵＴ５５Ａ，５５Ｂに保持された複数種類の電圧波形のうち、これら２画素に対して印加される各電圧値の差分がより小さくなる組み合わせが用いられる。
【００２６】
中央制御部５０は、例えば表示制御を含む全ての処理を担う、表示装置１の中心部分であり、具体的には、ＣＰＵ（Central Processing Unit）、ＡＳＩＣ(Application Specific Integrated Circuit)またはＦＰＧＡ(Field-Programmable Gate Array)などの部品を用いて構成される。
【００２７】
記憶部５７Ａは、例えば画素アレイ部１０に既に表示した画像（書き込み済の画像）の情報を格納する画像メモリである。記憶部５７Ｂは、例えば画素アレイ部１０にこれから表示する画像（書き込み予定の画像）の情報を格納する画像メモリである。このように、ここでは、表示前後の画像の各情報が別々に保持されているが、これらの情報は１つの記憶部に保持されていてもよい。
【００２８】
（画素アレイ部１０の詳細構成例）
図２は、表示装置１の画素アレイ部１０の要部構成を表したものである。画素アレイ部１０は、例えば、第１基板１１上に、ＴＦＴ層１２、第１電極１３、表示体１４および第２電極１５および第２基板１６をこの順に備えたものである。画素アレイ部１０では、表示体１４が、図示しない隔壁によって所定の領域毎に分離されていてもよいし、隔壁が設けられていなくともよい。
【００２９】
第１基板１１は、例えば無機材料、金属材料またはプラスチックなどにより構成されている。無機材料は、例えば、ケイ素（Ｓｉ）、酸化ケイ素（ＳｉＯx）、窒化ケイ素（ＳｉＮx）または酸化アルミニウム（ＡｌＯx）などである。酸化ケイ素には、例えばガラスまたはスピンオングラス（ＳＯＧ）などが含まれる。金属材料は、例えばアルミニウム（Ａｌ）、ニッケル（Ｎｉ）またはステンレスなどである。プラスチックは、例えば、ポリカーボネート（ＰＣ）、ポリエチレンテレフタレート（ＰＥＴ）、ポリエチレンナフタレート（ＰＥＮ）またはポリエチルエーテルケトン（ＰＥＥＫ）などである。
【００３０】
ＴＦＴ層１２は、例えばＴＦＴ（Thin Film Transistor：薄膜トランジスタ）を含む画素回路や各種配線が形成された層である。具体的には、ＴＦＴ層１２は、例えばＴＦＴ、容量素子、ゲート線（１１０Ｇ）、ソース線（１１０Ｓ）および共通電圧供給線（１１０Ｃ）などを含んでいる。ＴＦＴは、画素Ｐ毎に配置されて第１電極１３と電気的に接続されている。これにより、各画素Ｐの第１電極１３に対し、表示画像に応じた信号電圧を印加できるようになっている。このＴＦＴ層１２の表面は、平坦化絶縁膜によって覆われている。
【００３１】
第１電極１３は、マトリクス状に複数配置されている（画素Ｐ毎に配置されている）。この第１電極１３は、例えば、金（Ａｕ）、銀（Ａｇ）および銅（Ｃｕ）などの導電性材料のうち少なくとも１種を含んでいる。
【００３２】
表示体１４は、第１電極１３と第２電極１５とを通じて印加された電圧に応じて光反射率（光反射特性）が変化する（コントラストを生じさせる）ように構成されている。例えば、図２に示した例では、表示体１４は、例えば絶縁性液体１４０中に、光反射率の異なる複数種類の泳動粒子、例えば正（＋）に帯電した黒色粒子１４１と、負（−）に帯電した白色粒子１４２とを含んでいる。
【００３３】
絶縁性液体１４０は、例えば有機溶媒などの非水溶媒であり、具体的には、パラフィンまたはイソパラフィンなどである。この絶縁性液体１４０の粘度および屈折率は、できるだけ低いことが好ましい。泳動粒子（黒色粒子１４１，白色粒子１４２）の移動性（応答速度）が向上すると共に、それに応じて泳動粒子の移動に要するエネルギー（消費電力）が低くなるからである。なお、絶縁性液体１４０は、必要に応じて、各種材料を含んでいてもよい。例えば、絶縁性液体１４０は、着色剤、電荷制御剤、分散安定剤、粘度調製剤、界面活性剤または樹脂などを含んでいてもよい。
【００３４】
泳動粒子（黒色粒子１４１，白色粒子１４２）は、第１電極１３と第２電極１５との間を移動可能な１または２以上の荷電粒子であり、絶縁性液体１４０中に分散されている。泳動粒子は、正または負に帯電しており、例えば、有機顔料、無機顔料、染料、炭素材料、金属材料、金属酸化物、ガラスまたは高分子材料（樹脂）などのいずれか１種類または２種類以上の粒子（粉末）である。なお、泳動粒子１５２は、上記した粒子を含む樹脂固形分の粉砕粒子またはカプセル粒子などでもよい。ただし、炭素材料、金属材料、金属酸化物、ガラスまたは高分子材料に該当する材料は、有機顔料、無機顔料または染料に該当する材料から除かれることとする。この泳動粒子１５２としては、上記の中のいずれか１種類が用いられてもよいし、複数種類のものが用いられてもよい。
【００３５】
泳動粒子の具体的な形成材料は、例えば、コントラストを生じさせるために泳動粒子が担う役割に応じて選択される。例えば、黒色粒子１４１の材料は、黒色の材料、例えば、炭素材料または金属酸化物などである。炭素材料は、例えば、カーボンブラックなどであり、金属酸化物は、例えば、銅−クロム酸化物、銅−マンガン酸化物、銅−鉄−マンガン酸化物、銅−クロム−マンガン酸化物または銅−鉄−クロム酸化物などである。中でも、炭素材料が好ましい。優れた化学的安定性、移動性および光吸収性が得られるからである。一方、白色粒子１４２の材料は、白色の材料、例えば、酸化チタン、酸化亜鉛、酸化ジルコニウム、チタン酸バリウムまたはチタン酸カリウムなどの金属酸化物であり、中でも、酸化チタンが好ましい。電気化学的安定性および分散性などに優れていると共に、高い反射率が得られるからである。
【００３６】
なお、これらの泳動粒子は、絶縁性液体１４０中で長期間に渡って分散および帯電しやすいことが好ましい。このため、静電反発により泳動粒子を分散させるために分散剤（または電荷調整剤）を用いたり、泳動粒子に表面処理を施してもよい。また、両者を併用してもよい。
【００３７】
第２電極１５は、例えば透明導電膜により構成されている。透明導電膜としては、例えば、酸化インジウム−酸化スズ（ＩＴＯ）、酸化アンチモン−酸化スズ（ＡＴＯ）、フッ素ドープ酸化スズ（ＦＴＯ）またはアルミニウムドープ酸化亜鉛（ＡＺＯ）などが挙げられる。ここでは、第２電極１５は、例えば、全画素Ｐに共通の電極として、第２基板１６の一面に形成されている。この第２電極１５は、共通電圧供給線１１０Ｃに接続されている。
【００３８】
第２基板１６は、第１基板１１と同様の材料により構成されている。但し、第２基板１６を透過して画像が表示されることから、第２基板１６には、光透過性を有する材料が用いられる。この第２基板１６の一面に接して、もしくは第２基板１６よりも上、または第２基板１６と第２電極１５との間に、図示しないカラーフィルタが設けられていてもよい。
【００３９】
［駆動方法］
本実施の形態の表示装置１では、図１に示したパネル制御部５１からの制御信号に基づいて、ゲート駆動ユニット５２およびソース駆動ユニット５３が、画素アレイ部１０の各画素Ｐを電圧駆動する。具体的には、アクティブマトリクス駆動により、画素Ｐ毎に第１電極１３と第２電極１５との間に所定の電圧（電圧波形Ｄｐ，Ｄｐａ）が印加されることで、この印加電圧に応じて泳動粒子（黒色粒子１４１，白色粒子１４２）が、第１電極１３と第２電極１５との間を移動する。この結果、表示体１４における光反射率が画素Ｐ毎に変化し（画素Ｐの表示状態が変化し）、画像を表示する（書き換える）ことができる。
【００４０】
ここで、電気泳動素子を用いた表示装置１では、上記のような表示駆動を行う際に、いわゆるパルス幅変調方式により、複数フレームにわたって、例えば２値あるいは３値を切り替える電圧波形が印加される。即ち、所望の表示状態（階調）を表現するために、例えば数フレームから数１０フレームに相当する期間（以下、書き込み期間という）を、１枚の画像を表示する（または書き換える）ための単位期間として、各画素Ｐに印加される信号の電圧波形Ｄｐが設定される。この電圧波形Ｄｐは、上述のように、表示状態の変化に応じて複数種類のパターンとして予め設定されており、ＬＵＴ５５Ａに保持されている。
【００４１】
例えば、図３は、ある画素Ｐ(ｍ)，Ｐ(ｎ)に印加される信号電圧波形の一例を示したものである。このように、画像表示の際には、例えば画素Ｐ(ｍ)，Ｐ(ｎ)のそれぞれに対し、電圧値ＶH、電圧値ＶLおよび０Ｖの３値を切り替える信号電圧が印加される。また、画素Ｐ(ｍ)に対する１つの書き込み期間（黒表示のための期間）が、更に数１０フレームから構成され、それらの数１０フレームの中で電圧値が所定のパターン（電圧波形ＤＰｂ）で切り替えられて印加される。同様に、画素Ｐ(ｎ)に対する１つの書き込み期間（白表示のための期間）が、更に数１０フレームから構成され、それらの数１０フレームの中で電圧値が所定のパターン（電圧波形ＤＰｗ）で切り替えられて印加される。尚、各電圧波形ＤＰｂ，ＤＰｗは、フレーム期間の配列として示しており、数値「−１」「０」「１」が付された期間は、それぞれ電圧値ＶL、０Ｖ，電圧値ＶHを印加する期間に相当する。電圧値ＶLは、例えば負の値であり、一例としては−１５Ｖとすることができる。電圧値ＶHは、例えば正の値であり、一例としては＋１５Ｖとすることができる。これらのうち、電圧値ＶLは、本開示の「第１電圧値」の一具体例に相当し、電圧値ＶHは「第２電圧値」の一具体例に相当し、０Ｖは「第３電圧値」の一具体例に相当する。但し、上記電圧値はあくまで一例である。第１電圧値および第２電圧値は、−１５Ｖおよび１５Ｖ以外の値とされてもよい。また、第３電圧値は０Ｖに限定されるものではなく、第１電圧値と第２電圧値との中間の値であれば、０Ｖからシフトした値であっても構わない。また、このような３つの電圧値ではなく、電圧値ＶL,ＶHの２値間の切り替えにより電圧波形が設定されてもよい。
【００４２】
図４は、電圧波形Ｄｐの一例を表したものである。電圧波形Ｄｐ１１は、例えば白から白へ表示状態を切り替える（白の表示状態を保持する）ための電圧波形の一例である。電圧波形Ｄｐ１２は、白から黒へ表示状態を切り替えるための電圧波形の一例である。尚、図４では、各電圧波形の上段に、１フレーム期間（１Ｖ）毎に、電圧値を表す数値（−１，０，１）を示している。下段には、対応する電圧波形の形状を示している。これらの例のように、電圧値ＶL,ＶHおよび０Ｖの３値のそれぞれを２以上のフレームにわたって連続的に印加してもよいし、フレーム単位で切り替えてもよい。但し、これらは一例であり、表示状態を変化させるための電圧波形のパターン（電圧値、切り替えタイミング等の組み合わせ）は数多く存在する。表示装置１では、表示状態の変化に応じた複数種類の電圧波形Ｄｐの情報を、ＬＵＴ５５Ａとして予め保持している。これにより、表示する画像に応じてＬＵＴ５５Ａが適宜参照され、各画素Ｐに対して表示状態に応じた電圧波形を印加することができる。
【００４３】
上記のような電圧波形Ｄｐが画素Ｐ毎に第１電極１３に印加されることにより、黒表示および白表示等を行うことができる。このとき、例えば表示体１４が正に帯電した黒色粒子１４１と負に帯電した白色粒子１４２とを含む場合には、第１電極１３への電圧値ＶHの印加によって、黒色粒子１４１が第２電極１５側へ、白色粒子１４２が第１電極１３側へそれぞれ移動する。これにより、図５に示したように、電圧値ＶHの印加された画素領域（ここでは３つの画素Ｐに相当する領域を示す）では黒表示となる。このように、黒表示の画素Ｐ同士が隣接して存在している領域では、黒色粒子１４１が第２電極１５側に均一に分布し、良好な（濃淡むらの少ない）黒色を表示することができる。
【００４４】
一方、第１電極１３へ電圧値ＶLが印加された場合には、黒色粒子１４１が第１電極１３側へ、白色粒子１４２が第２電極１５側へそれぞれ移動する。これにより、図６に示したように、電圧値ＶLの印加された画素領域（ここでは３つの画素Ｐに相当する領域を示す）では白表示となる。このように、白表示の画素Ｐ同士が隣接して存在している領域では、白色粒子１４２が第２電極１５側に均一に分布し、良好な（濃淡むらの少ない）白色を表示することができる。
【００４５】
ところが、図７に示したように、互いに表示状態の異なる画素、ここでは白表示の画素Ｐ（画素Ｐ１とする）と黒表示の画素Ｐ（画素Ｐ２とする）とが隣接する領域では、エッジゴーストと呼ばれる画質劣化が生じ易い。これは、以下のような理由による。
【００４６】
即ち、白を表示するための電圧波形Ｄｐと、黒を表示するための電圧波形Ｄｐは、泳動粒子の移動という観点から、ほぼ対称的な波形のパターン（反転パターン）となることが多い。このため、画素Ｐ１，Ｐ２において隣り合う第１電極１３同士の間の電位差が大きくなり易い。例えば、画素Ｐ１には−１５Ｖが印加され、画素Ｐ２には＋１５Ｖが印加される。これにより、画素Ｐ１，Ｐ２間には横方向（第１基板１１に平行な方向）に大きな電位差（例えば３０Ｖ）が生じてしまう。各画素Ｐ１，Ｐ２のそれぞれにおいて第１電極１３と第２電極１５との間に印加される電位差は大きくとも１５Ｖであるから、それよりも大きな３０Ｖという電位差が横方向に印加されてしまうこととなる。このため、画素Ｐ１，Ｐ２間で泳動粒子が移動し易く、容易にエッジゴーストが発生する。
【００４７】
詳細には、境界領域１４ｅでは、黒色粒子１４１および白色粒子１４２が上記のような横方向の電界の影響を受けて、意図しない方向へ（隣の画素へ）移動する。これにより、例えば画素Ｐ２の境界領域１４ｅでは、第２電極１５側の黒色粒子１４１が少なく、第１電極１３側の白色粒子１４２が少なくなる。この結果、画素Ｐ２の縁部分では、本来の黒色ではなく、白色が混ざったような色味となる（縁部分に白い輪郭状のエッジゴーストが発生する)。一方で、画素Ｐ１では、画素Ｐ２とは逆に、縁部分に黒色が混ざり、黒い輪郭状のエッジゴーストが生じることもある。このエッジゴーストの発生度合いは、電気泳動素子の構造や黒色粒子１４１および白色粒子１４２の数の違い等によって異なる。
【００４８】
このような画素Ｐ１，Ｐ２の境界領域１４ｅは、表示画像の輪郭部分に存在する。図８に、画素アレイ部１０に表示される画像（画像３０）の一例を示す。図９には、図８の一部の領域Ａを拡大して示す。図８に示したように、画像３０が、「Ｈ」を表す黒色の文字領域３０Ａと、白色の背景領域３０Ｂとを含む場合、文字領域３０Ａの輪郭部分（文字領域３０Ａと背景領域３０Ｂとの境界部分）が存在する。この輪郭部分に相当する領域Ａでは、図９に示したように、白表示の背景領域３０Ｂを構成する画素（例えば画素ａ１１〜ａ１７）と、黒表示の文字領域３０Ａを構成する画素（例えば画素ａ２１〜ａ２５）とが、Ｘ方向およびＹ方向あるいは斜め方向において隣接する。この例において、隣接２画素とは、例えば、画素ａ１１と画素ａ２１の組、画素ａ１２と画素ａ２２の組、画素ａ１３と画素ａ２３の組、画素ａ１５と画素ａ２３の組、画素ａ１６と画素ａ２４の組および画素ａ１７と画素ａ２５の組等が挙げられる。但し、この他にも、隣接する２画素の組み合わせとしては、画素ａ１１と画素ａ２２の組、あるいは画素ａ１４と画素ａ２３の組等、斜め方向に隣接する２画素であってもよい。
【００４９】
ここで、比較例（比較例１）として、図１０に示したように、文字領域３０Ａおよび背景領域３０Ｂを有する画像３０（左図）を表示した後に、全面白色の画像３１（右図）を書き込む場合、実際に表示される画像には、上述のエッジゴーストが生じる。即ち、図１１の右図に示したように、白色の背景に文字領域３０Ａの輪郭部分（ｘ１）だけが薄く残ったような画像１０３となる。
【００５０】
そこで、このようなエッジゴーストが発生した場合に、発生したエッジゴーストを消去する補正を行う手法がある。図１２は、比較例２に係る駆動方法を説明するための模式図である。図１２の上段の図は、書き込む画像と、実際に表示される画像とを時系列で示したものである。下段の図は、共通電極への電圧（Ｖcom）と、画素ｉ，ｊ，ｍ，ｋへ印加する電圧波形を示している。この例では、「Ｋ」という文字の画像１０４を、「Ｈ」という文字の画像１０７Ｂに書き換える場合を示している。この際、まず、「Ｋ」が表示された画像１０４から、画面全体を白色の画像１０５へ遷移させる（表示リセット期間）。その後、予め抽出された輪郭情報に基づいて、エッジゴーストの生じない領域（画素ｉ，ｍ）では、通常の画像１０６Ａの書き込みを行う（黒書き込み期間）。続いて、エッジゴーストの生じる領域（画素ｊ，ｋ）では、更に補正用の画像１０７Ａの書き込みを行う（白黒上書き期間）。このように、比較例２の手法では、画像１０７Ａの上書き補正、即ちエッジゴーストの補正のために、通常の表示駆動の時間とは別に、更に電圧を印加する（上書きする）時間を要する。
【００５１】
ここで、上記の比較例２の手法では、上記のような上書き補正を、通常の白や黒を表示する場合と同様の書き込み期間単位で実施している。上述したように、１枚の画像を表示する際には、数１０フレームにわたって種々の電圧値が切り替えられて印加される。これは、換言すると、画像１０７Ａを上書きする期間も、他の書き込み期間と同様に、数１０フレームからなる電圧波形のパターンを要することを意味する。
【００５２】
このため、エッジゴーストが強く生じている場合には、補正に長時間を要する、あるいは補正自体が困難となる。また、上書きによって新たなエッジゴーストが発生する場合もある。このように、発生したエッジゴーストを事後的に補正する手法では、エッジゴーストを十分に抑制することが困難である。
【００５３】
これに対し、本実施の形態の表示装置１では、表示される画像において、隣接する２画素（画素Ｐ１，Ｐ２）において互いに表示状態の異なる場合、これらの画素Ｐ１，Ｐ２に印加する各電圧波形との組み合わせとして、予め保持された複数種類の電圧波形のうち、これら２画素に対して印加される各電圧値の差分がより小さくなる組み合わせが用いられる。
【００５４】
具体的には、まず、輪郭検出部５６が、表示する画像の輪郭部分を検出し、互いに表示状態の異なる隣接２画素を抽出する。次いで、データ置換部５４が、ＬＵＴ５５Ａに保持された電圧波形Ｄｐに対応する表示用の信号のうち、抽出された２画素に対応する信号をＬＵＴ５５Ｂに保持された画素Ｐ１，Ｐ２用の電圧波形Ｄｐａの情報に基づいて置換する。これにより、通常の画像表示用の信号のうちの輪郭部分に相当する信号を置換し（最適化し）、置換後の信号をパネル制御部５１へ出力する。即ち、輪郭部分に対応する隣接２画素では、電圧波形Ｄｐａを用いた駆動が行われ、輪郭部分以外の画素では、電圧波形Ｄｐを用いた駆動が行われる。
【００５５】
電圧波形Ｄｐａは、画素Ｐ１，Ｐ２に印加される電圧波形の組み合わせにおいて、各電圧値の差分がより小さくなるように、電圧波形Ｄｐの一部が置換されたものである。即ち、電圧値ＶHを「１」、電圧値ＶLを「−１」とした場合、画素Ｐ１，Ｐ２に印加される各電圧値の差分が最大値（−２または２）となるフレームの数がより低減される組み合わせとなるように、電圧波形Ｄｐの一部の電圧値を他の電圧値に置換したものである。
【００５６】
図１３に、画素Ｐ１，Ｐ２に印加される電圧波形Ｄｐ（電圧波形Ｄｐ１１，Ｄｐ１２）と、その一部を置換してなる電圧波形Ｄｐａ（電圧波形Ｄｐ１１ａ，Ｄｐ１２ａ）の一例を示す。このように、電圧波形Ｄｐ１１，Ｄｐ１２の組み合わせでは、画素Ｐ１，Ｐ２に印加される各電圧値の差分が最大値（−２または２）となる期間ｔｗが多く存在するが、置換後の電圧波形Ｄｐ１１ａ，Ｄｐ１２ａの組み合わせでは、画素Ｐ１，Ｐ２に印加される各電圧値の差分が最大値（−２または２）となる期間ｔｗが存在しない。また、この置換の前後で、表示状態が変化しないように（表示状態を維持しつつ）電圧値を調整することが重要である。例えば、電圧波形Ｄｐ１１は白から白へ、電圧波形Ｄｐ１２は白から黒へ、それぞれ表示状態を変化させるために印加するパターンである。このため、置換後の電圧波形Ｄｐ１１ａにおいても白から白へ表示状態を変化させるパターンとなるようにし、電圧波形Ｄｐ１２ａでは白から黒へ表示状態を変化させるパターンとなるようにする。この例では、置換後の電圧波形Ｄｐａでは、画素Ｐ１に印加される電圧値が電圧値ＶH，ＶLまたは０Ｖであり、画素Ｐ２に印加される電圧値は、画素Ｐ１に電圧値ＶHまたは電圧値ＶLが印加される場合には画素Ｐ１と同電圧または０Ｖであり、画素Ｐ１に０Ｖが印加される場合には電圧値ＶH，ＶLおよび０Ｖのうちのいずれかである。また、電圧波形Ｄｐａは、画素Ｐ１，Ｐ２に印加される各電圧波形Ｄｐの組み合わせのうち一方のみを置換したものであってもよいし、両方を置換したものであってもよい。
【００５７】
このように、本実施の形態では、互いに表示状態の異なる、隣接する２つの画素Ｐに対して印加する電圧波形の組み合わせを、それぞれに印加する電圧値の差分が低減された組み合わせに入れ替えることによって、隣接画素間に大きな電位差が生じにくくなる。これにより、上述のようなエッジゴーストと呼ばれる画質劣化の発生を抑制することができる。ここで、重要なのは、上記比較例２のように、発生したエッジゴーストを事後的に補正するのではなく、エッジゴースト自体が発生しにくい電圧波形の組み合わせを用いることにある。つまり、本実施の形態では、比較例２の手法のように「書き込み期間」単位で事後的に補正するのではなく、予め輪郭部分用の電圧波形Ｄｐａを用意しておくため、補正用の期間自体が不要になり、結果として短時間でエッジゴーストの少ない所望の表示を達成することができる。
【００５８】
例えば、実施例１として、図１４に、文字領域３０Ａおよび背景領域３０Ｂを有する画像３０（左図）を表示した後に、全面白色の画像３１（右図）を書き込む場合について模式的に示す。この場合、全面白色の画像３１を書き込むための通常の信号（電圧波形Ｄｐ）のうち、文字領域３０Ａの輪郭部分（文字領域３０Ａと背景領域３０Ｂとの境界部分）に対応する信号を、上述のような電圧波形Ｄｐａを用いて置換する。この置換後の信号を画素アレイ部１０に書き込むことで、図１５に示したように、エッジゴーストの低減された全面白色の画像３１を表示することができる。
【００５９】
［効果］
本実施の形態の表示装置１では、隣り合う２つの画素Ｐが互いに異なる表示状態を有する場合に、即ち画像の輪郭部分に配置された画素Ｐ（Ｐ１，Ｐ２）に対し、これらの画素Ｐに印加する各電圧波形の組み合わせとして、各画素Ｐに対して印加される各電圧値の差分がより小さくなる組み合わせを用いる。これにより、隣り合う２つの画素Ｐ間において横方向に生じる電界が低減される。この結果、泳動粒子の画素Ｐ間の移動を抑制できる。輪郭部分等の隣接する２つの画素Ｐが異なる表示状態を有する場合に、それらの画素Ｐの境界付近で発生しうる画質劣化（エッジゴースト）の発生を抑制することができる。
【００６０】
尚、本実施の形態では、上述のように、表示装置１が、電圧波形Ｄｐ，Ｄｐａについての情報を予めＬＵＴ５５Ａ，５５Ｂとして保持し、これらの情報に基づいて表示用の画像信号を置換する構成について例示したが、表示装置１の構成はこれに限定されない。例えば、表示装置１は、上述したような電圧波形Ｄｐ，Ｄｐａに相当する情報をリアルタイムに演算処理によって生成する機能を有していてもよい。例えば、表示装置１は、データ置換部５４の代わりに、上述したような画素Ｐ１，Ｐ２に印加される各電圧値の差分値を低減する組み合わせを含む電圧波形Ｄｐ，Ｄｐａを、表示（書き換え）の都度、算出する演算処理部を備える。また、この演算処理部を備える場合には、ＬＵＴ５５Ａ，５５Ｂは設けられていなくともよい。
【００６１】
以下に、上記実施の形態の変形例について説明する。尚、上記実施の形態と同様の構成要素については同一の符号を付し、適宜その説明を省略する。
【００６２】
＜変形例１＞
上記実施の形態では、各画素Ｐの表示状態の変化として、黒と白との間で変化する場合を例に挙げたが、黒または白から、それらの中間の階調（グレー）を示す表示状態への変化、あるいはこのグレーの表示状態から白または黒の表示状態へ変化する場合にも、上述の駆動方法を適用することが可能である。
【００６３】
図１６に、電圧波形Ｄｐの一例を示す。電圧波形Ｄｐ２１は白から白へ、電圧波形Ｄｐ２２は白から黒へ、電圧波形Ｄｐ２３は黒から白へ、電圧波形Ｄｐ２４は黒から黒へ、表示状態をそれぞれ変化させるためのパターンである。また、電圧波形Ｄｐ２５は白からグレーへ表示状態を変化させるためのパターンであり、電圧波形Ｄｐ２６はグレーからグレーへ表示状態を変化させるためのパターンである。
【００６４】
これらのうち、図１７に示したように、例えば白から白へ変化させるための電圧波形Ｄｐ２１と、白からグレーへ変化させるための電圧波形Ｄｐ２５とが、隣接する２画素に印加される場合、それぞれに印加される各電圧値の差分が最大値（−２または２）となる期間ｔｗが存在する（上段）。これらの組み合わせについて一部を置換したものを図１７の下段に示す。このように、例えば電圧波形Ｄｐ２１の一部の電圧値を置換することで、置換前と同じく白から白へ変化させるための電圧波形Ｄｐ２１ａと、白からグレーへ変化させるための電圧波形Ｄｐ２５との組み合わせを設定することができる。
【００６５】
また、図１８に示したように、例えば黒から黒へ変化させるための電圧波形Ｄｐ２４と、グレーからグレーへ変化させるための電圧波形Ｄｐ２６とが、隣接する２画素に印加される場合、それぞれに印加される各電圧値の差分が最大値（２）となる期間ｔｗが存在する（上段）。これらの組み合わせについて一部を置換したものを図１８の下段に示す。このように、例えば電圧波形Ｄｐ２６の一部の電圧値を置換することで、置換前と同じくグレーからグレーへ変化させるための電圧波形Ｄｐ２６ａと、黒から黒へ変化させるための電圧波形Ｄｐ２４との組み合わせを設定することができる。
【００６６】
ここで、比較例（比較例３）として、図１９に示したように、文字領域３０Ａおよび背景領域３０Ｂを有する画像３０（左図）を表示した後に、全面グレーの画像３２（右図）を書き込む場合、実際に表示される画像には、上述したようなエッジゴーストが生じる。例えば、図２０の右図に示したように、グレーの背景に文字領域３０Ａの輪郭に対応する領域に黒っぽい線と白っぽい線（ｘ２）とが生じたような画像１０８となる。
【００６７】
これに対し、実施例２として、図２１に、文字領域３０Ａおよび背景領域３０Ｂを有する画像３０（左図）を表示した後に、全面グレーの画像３２（右図）を書き込む場合について模式的に示す。この場合、全面グレーの画像３２を書き込むための通常の信号（電圧波形Ｄｐ）のうち、文字領域３０Ａの輪郭部分（文字領域３０Ａと背景領域３０Ｂとの境界部分）に対応する信号を、上述のような電圧波形Ｄｐａを用いて置換する。この置換後の信号を画素アレイ部１０に書き込むことで、図２２に示したように、エッジゴーストの低減された全面グレーの画像３２を表示することができる。
【００６８】
＜変形例２＞
上記実施の形態では、電気泳動素子の表示体１４が、２種類の泳動粒子（黒色粒子１４１，白色粒子１４２）を含むものを例に挙げたが、表示体１４の構成はこれに限定されるものではない。例えば、図２３に示したように、繊維状構造体（多孔質層１５３）を用いたものであってもよい。この表示体１４は、例えば、上述したような絶縁性液体１４０中に多孔質層１５３と泳動粒子１５２とを含むものである。
【００６９】
泳動粒子１５２は、第１電極１３と第２電極１５との間を移動可能な１または２以上の荷電粒子であり、絶縁性液体１４０中に分散されている。この泳動粒子１５２は、絶縁性液体１４０中で第１電極１３と第２電極１５との間を移動可能になっている。泳動粒子１５２は、例えば、有機顔料、無機顔料、染料、炭素材料、金属材料、金属酸化物、ガラスまたは高分子材料（樹脂）などのいずれか１種類または２種類以上の粒子（粉末）である。なお、泳動粒子１５２は、上記した粒子を含む樹脂固形分の粉砕粒子またはカプセル粒子などでもよい。ただし、炭素材料、金属材料、金属酸化物、ガラスまたは高分子材料に該当する材料は、有機顔料、無機顔料または染料に該当する材料から除かれることとする。この泳動粒子１５２としては、上記の中のいずれか１種類が用いられてもよいし、複数種類のものが用いられてもよい。
【００７０】
絶縁性液体１４０中における泳動粒子１５２の含有量（濃度）は、特に限定されないが、例えば、０．１重量％〜１０重量％である。泳動粒子１５２の遮蔽（隠蔽）性および移動性が確保されるからである。この場合には、０．１重量％よりも少ないと、泳動粒子１５２が多孔質層１５３を遮蔽しにくくなる可能性がある。一方、１０重量％よりも多いと、泳動粒子１５２の分散性が低下するため、その泳動粒子１５２が泳動しにくくなり、場合によっては凝集する可能性がある。
【００７１】
泳動粒子１５２の具体的な形成材料は、例えば、コントラストを生じさせるために泳動粒子１５２が担う役割に応じて選択される。例えば、泳動粒子１５２により暗表示（黒表示）される場合の材料は、黒色の材料、例えば、炭素材料または金属酸化物などである。炭素材料は、例えば、カーボンブラックなどであり、金属酸化物は、例えば、銅−クロム酸化物、銅−マンガン酸化物、銅−鉄−マンガン酸化物、銅−クロム−マンガン酸化物または銅−鉄−クロム酸化物などである。中でも、炭素材料が好ましい。優れた化学的安定性、移動性および光吸収性が得られるからである。一方、泳動粒子１５２により明表示（白表示）される場合の材料は、白色の材料、例えば、酸化チタン、酸化亜鉛、酸化ジルコニウム、チタン酸バリウムまたはチタン酸カリウムなどの金属酸化物であり、中でも、酸化チタンが好ましい。電気化学的安定性および分散性などに優れていると共に、高い反射率が得られるからである。
【００７２】
なお、泳動粒子１５２は、絶縁性液体１４０中で長期間に渡って分散および帯電しやすいと共に多孔質層１５３に吸着されにくいことが好ましい。このため、静電反発により泳動粒子１５２を分散させるために分散剤（または電荷調整剤）を用いたり、泳動粒子１５２に表面処理を施してもよい。また、両者を併用してもよい。
【００７３】
多孔質層１５３は、例えば、図２３に示したように、繊維状構造体１５４により形成された３次元立体構造物（不織布のような不規則なネットワーク構造物）である。この多孔質層１５３は、繊維状構造体１５４が存在していない箇所に、泳動粒子１５２が通過するための複数の隙間（細孔１５６）を有している。
【００７４】
繊維状構造体１５４は、１または２以上の非泳動粒子１５５を含み、その非泳動粒子１５５は、繊維状構造体１５４により保持されている。３次元立体構造物である多孔質層１５３では、１本の繊維状構造体１５４がランダムに絡み合っていてもよいし、複数本の繊維状構造体１５４が集合してランダムに重なっていてもよいし、両者が混在していてもよい。繊維状構造体１５４が複数本である場合、各繊維状構造体１５４は、１または２以上の非泳動粒子１５５を保持していることが好ましい。なお、図２３では、複数本の繊維状構造体１５４により多孔質層１５３が形成されている場合を示している。
【００７５】
繊維状構造体１５４に非泳動粒子１５５が含まれているのは、外光がより乱反射しやすくなるため、多孔質層１５３の光反射率がより高くなるからである。これにより、コントラストがより高くなる。
【００７６】
繊維状構造体１５４は、繊維径（直径）に対して長さが十分に大きい繊維状物質である。この繊維状構造体１５４は、例えば、高分子材料または無機材料などのいずれか１種類または２種類以上を含んでおり、他の材料を含んでいてもよい。高分子材料は、例えば、ナイロン、ポリ乳酸、ポリアミド、ポリイミド、ポリエチレンテレフタレート、ポリアクリロニトリル、ポリエチレンオキシド、ポリビニルカルバゾール、ポリビニルクロライド、ポリウレタン、ポリスチレン、ポリビニルアルコール、ポリサルフォン、ポリビニルピロリドン、ポリビニリデンフロリド、ポリヘキサフルオロプロピレン、セルロースアセテート、コラーゲン、ゼラチン、キトサンまたはそれらのコポリマーなどである。無機材料は、例えば、酸化チタンなどである。中でも、繊維状構造体１５４の形成材料としては、高分子材料が好ましい。反応性（光反応性など）が低い（化学的に安定である）ため、繊維状構造体１５４の意図しない分解反応が抑制されるからである。なお、繊維状構造体１５４が高反応性の材料により形成されている場合には、その繊維状構造体１５４の表面は任意の保護層により被覆されていることが好ましい。
【００７７】
繊維状構造体１５４の形状（外観）は、上記したように繊維径に対して長さが十分に大きい繊維状であれば、特に限定されない。具体的には、直線状でもよいし、縮れていたり、途中で折れ曲がっていてもよい。また、一方向に延在しているだけに限らず、途中で１または２以上の方向に分岐していてもよい。この繊維状構造体１５４の形成方法は、特に限定されないが、例えば、相分離法、相反転法、静電（電界）紡糸法、溶融紡糸法、湿式紡糸法、乾式紡糸法、ゲル紡糸法、ゾルゲル法またはスプレー塗布法などであることが好ましい。繊維径に対して長さが十分に大きい繊維状物質を容易かつ安定に形成しやすいからである。
【００７８】
この繊維状構造体１５４は、泳動粒子１５２とは異なる光学的反射特性を有していることが好ましい。例えば、泳動粒子１５２により暗表示がなされる場合、黒色の泳動粒子１５２と、白色の繊維状構造体１５４とが用いられる。泳動粒子１５２により明表示がなされる場合には、白色の泳動粒子１５２と、黒色の繊維状構造体１５４とが用いられる。
【００７９】
非泳動粒子１５５は、繊維状構造体１５４に固定されており、電気的に泳動しない粒子である。この非泳動粒子１５５の形成材料は、例えば、泳動粒子１５２の形成材料と同様であり、非泳動粒子１５５が担う役割に応じて選択される。この非泳動粒子１５５は、泳動粒子１５２とは異なる光学的反射特性を有している。
【００８０】
上記の表示体１４の構成は一例であり、他の構成であってもよい。例えば、多孔質層１５３を持たない他の構成、例えば、カプセル状のものであってもよいし、エレクトロクロミック表示素子などが用いられてもよい。このように、上述した表示装置およびその駆動方法は、外部電界を遮断しても表示状態を保持することが可能な、種々の反射型表示素子に適用可能である。
【００８１】
＜適用例＞
次に、上述の実施の形態および変形例において説明した表示装置の適用例について説明する。ただし、以下で説明する電子機器の構成はあくまで一例であり、その構成は適宜変更可能である。上記の表示装置１は、各種の電子機器あるいは服飾品の一部に適用可能であり、その電子機器等の種類は特に限定されない。この表示装置１は、例えば、以下の電子機器等に搭載可能である。ただし、以下で説明する電子機器等の構成はあくまで一例であるため、その構成は適宜変更可能である。
【００８２】
（適用例１）
図２４Ａおよび図２４Ｂは、電子ブックの外観構成を表している。この電子ブックは、例えば、表示部１１０および非表示部１２０と、操作部１３０とを備えている。なお、操作部１３０は、図２４Ａに示したように非表示部１２０の前面に設けられていてもよいし、図２４Ｂに示したように上面に設けられていてもよい。表示部１１０が表示装置１を含んで構成される。なお、表示装置１は、図２４Ａ，図２４Ｂに示した電子ブックと同様の構成を有するＰＤＡ（Personal Digital Assistants）等に搭載されてもよい。
【００８３】
（適用例２）
図２５は、タブレットパーソナルコンピュータの外観を表したものである。このタブレットパーソナルコンピュータは、例えば、タッチパネル部３１０および筐体３２０を有しており、タッチパネル部３１０が上記表示装置１を含んで構成されている。
【００８４】
上記の表示装置１は、いわゆるウェアラブル端末として、例えば時計（腕時計）、鞄、衣服、帽子、眼鏡および靴等の服飾品の一部に適用することも可能である。以下に、そのような服飾品一体型の電子機器の一例を示す。
【００８５】
（適用例３）
図２６Ａおよび図２６Ｂは、電子時計（腕時計一体型電子機器）の外観を表したものである。この電子時計は、例えば文字盤（文字情報表示部分）４１０とバンド部（色柄表示部分）４２０とを有しており、これらの文字盤４１０とバンド部４２０とが上記表示装置１を含んで構成されている。文字盤４１０には、上述の電気泳動素子を用いた表示駆動により、図２６Ａおよび図２６Ｂのように、例えば様々な文字や図柄が表示される。バンド部４２０は、例えば腕などに装着可能な部位である。このバンド部４２０において、表示装置１が用いられることで、様々な色柄を表示することができ、図２６Ａの例から図２６Ｂの例のように、バンド部４２０の意匠を変更することができる。ファッション用途においても有用な電子デバイスを実現可能となる。
【００８６】
以上、実施形態を挙げて本開示を説明したが、本開示は実施形態で説明した態様に限定されず、種々の変形が可能である。例えば、上記実施の形態において説明した構成要素を全て備える必要はなく、更に他の構成要素を含んでいてもよい。また、上述した構成要素の材料や厚みは一例であり、記載したものに限定されるものではない。
【００８７】
尚、上記実施の形態等において説明した効果は一例であり、本開示の効果は、他の効果であってもよいし、更に他の効果を含んでいてもよい。
【００８８】
尚、本開示内容は以下のような構成であってもよい。
（１）
電気泳動素子を含むと共に複数の画素を有する画素部と、
前記画素部の各画素に対し、少なくとも２値を切り替える電圧波形を複数フレームにわたって印加することにより前記画素の表示状態を変化させる駆動を行う駆動部と、
を備え、
前記駆動部は、前記複数の画素のうちの隣り合う第１および第２の画素が互いに異なる表示状態を有する場合に、
前記第１および第２の画素に印加する各電圧波形の組み合わせとして、前記第１および第２の画素に対して印加される各電圧値の差分がより小さくなる組み合わせを用いて、前記駆動を行う
表示装置。
（２）
前記駆動部は、
前記第１および第２の画素以外の各画素に対して、画像表示用の第１の電圧波形を印加して前記駆動を行い、
前記第１および第２の画素の一方または両方に対して、前記第１の電圧波形の一部が置換されてなる第２の電圧波形を印加して前記駆動を行う
上記（１）に記載の表示装置。
（３）
前記第１の電圧波形を保持する第１の保持部と、
前記第２の電圧波形を保持する第２の保持部と
を更に備えた
上記（２）に記載の表示装置。
（４）
前記駆動部は、前記第１および第２の電圧波形をそれぞれ演算処理によって生成する
上記（２）に記載の表示装置。
（５）
前記画素部に表示される画像において前記第１および第２の画素を含む輪郭部分を検出する検出部を更に備えた
上記（１）〜（４）のいずれか１つに記載の表示装置。
（６）
前記電圧波形は、少なくとも、負の第１電圧値と正の第２電圧値とを切り替える形状を有する
上記（１）〜（５）のいずれか１つに記載の表示装置。
（７）
前記電圧波形はそれぞれ、前記第１電圧値と、前記第２電圧値と、前記第１電圧値および前記第２電圧値の中間の第３電圧値とを切り替える形状を有する
上記（６）に記載の表示装置。
（８）
前記第１および第２の画素に印加される各電圧波形の組み合わせは、前記第１および第２の画素のうちの一方の画素に前記第１電圧値が、他方の画素に前記第２電圧値がそれぞれ印加されるフレームが相対的に少ない組み合わせである
上記（６）に記載の表示装置。
（９）
前記第１および第２の画素に印加される各電圧波形の組み合わせでは、各フレームにおいて、
前記第１の画素に対して、前記第１電圧値、前記第２電圧値および前記第３電圧値のうちのいずれかが印加され、
前記第２の画素に対して、前記第１の画素に前記第１電圧値または前記第２電圧値が印加される場合には前記第１の画素と同電圧または前記第３電圧値が印加され、前記第１の画素に前記第３電圧値が印加される場合には前記第１電圧値、前記第２電圧値および前記第３電圧値のうちのいずれかが印加される
上記（７）に記載の表示装置。
（１０）
前記電気泳動素子は、
前記画素毎に設けられた第１電極と、
複数の前記第１電極に対向して配置された第２電極と、
前記複数の第１電極と前記第２電極との間に封止され、泳動粒子を含むと共に印加電圧に応じて光反射特性が変化する表示体と
を有する
上記（１）〜（９）のいずれか１つに記載の表示装置。
（１１）
電気泳動素子を含む複数の画素のそれぞれに対し、少なくとも２値を切り替える電圧波形を複数フレームにわたって印加して前記画素の表示状態を変化させる駆動を行い、
前記複数の画素のうちの隣り合う第１および第２の画素が互いに異なる表示状態を有する場合に、前記第１および第２の画素に印加する各電圧波形の組み合わせとして、前記第１および第２の画素に対して印加される各電圧値の差分がより小さくなる組み合わせを用いて、前記駆動を行う
駆動方法。
（１２）
前記第１および第２の画素以外の各画素に対して、画像表示用の第１の電圧波形を印加して前記駆動を行い、
前記第１および第２の画素の一方または両方に対して、前記第１の電圧波形の一部が置換されてなる第２の電圧波形を印加して前記駆動を行う
上記（１１）に記載の駆動方法。
（１３）
前記画像における前記第１および第２の画素を含む輪郭部分を検出する
上記（１１）または（１２）に記載の駆動方法。
（１４）
前記電圧波形は、少なくとも、負の第１電圧値と正の第２電圧値とを切り替える形状を有する
上記（１１）〜（１３）のいずれか１つに記載の駆動方法。
（１５）
前記電圧波形はそれぞれ、前記第１電圧値と、前記第２電圧値と、前記第１電圧値および前記第２電圧値の中間の第３電圧値とを切り替える形状を有する
上記（１４）に記載の駆動方法。
（１６）
前記第１および第２の画素に印加される各電圧波形の組み合わせは、前記第１および第２の画素のうちの一方の画素に前記第１電圧値が、他方の画素に前記第２電圧値がそれぞれ印加されるフレームが相対的に少ない組み合わせである
上記（１４）に記載の駆動方法。
（１７）
前記第１および第２の画素に印加される各電圧波形の組み合わせでは、各フレームにおいて、
前記第１の画素に対して、前記第１電圧値、前記第２電圧値および前記第３電圧値のうちのいずれかが印加され、
前記第２の画素に対して、前記第１の画素に前記第１電圧値または前記第２電圧値が印加される場合には前記第１の画素と同電圧または前記第３電圧値が印加され、前記第１の画素に前記第３電圧値が印加される場合には前記第１電圧値、前記第２電圧値および前記第３電圧値のうちのいずれかが印加される
上記（１５）に記載の駆動方法。
（１８）
電気泳動素子を含むと共に複数の画素を有する画素部と、
前記画素部の各画素に対し、少なくとも２値を切り替える電圧波形を複数フレームにわたって印加することにより前記画素の表示状態を変化させる駆動を行う駆動部と
を備え、
前記駆動部は、前記複数の画素のうちの隣り合う第１および第２の画素が互いに異なる表示状態を有する場合に、
前記第１および第２の画素に印加する各電圧波形の組み合わせとして、前記第１および第２の画素に対して印加される各電圧値の差分がより小さくなる組み合わせを用いて、前記駆動を行う
表示装置
を備えた電子機器。
【符号の説明】
【００８９】
１…表示装置、１０…画素アレイ部、１１…第１基板、１２…ＴＦＴ層、１３…第１電極、１４…表示体、１５…第２電極、１６…第２基板、５０…中央制御部、５１…パネル制御部、５２…ゲート駆動ユニット、５３…ソース駆動ユニット、５４…データ置換部、５５Ａ，５５Ｂ…ＬＵＴ、５６…輪郭検出部、５７Ａ，５７Ｂ…記憶部、Ｐ，Ｐ１，Ｐ２…画素、１１０Ｇ…ゲート線、１１０Ｓ…ソース線、１１０Ｃ…共通電圧供給線。
【図１】
2017120315.tif 000003
【図２】
2017120315.tif 000004
【図３】
2017120315.tif 000005
【図４】
2017120315.tif 000006
【図５】
2017120315.tif 000007
【図６】
2017120315.tif 000008
【図７】
2017120315.tif 000009
【図８】
2017120315.tif 000010
【図９】
2017120315.tif 000011
【図１０】
2017120315.tif 000012
【図１１】
2017120315.tif 000013
【図１２】
2017120315.tif 000014
【図１３】
2017120315.tif 000015
【図１４】
2017120315.tif 000016
【図１５】
2017120315.tif 000017
【図１６】
2017120315.tif 000018
【図１７】
2017120315.tif 000019
【図１８】
2017120315.tif 000020
【図１９】
2017120315.tif 000021
【図２０】
2017120315.tif 000022
【図２１】
2017120315.tif 000023
【図２２】
2017120315.tif 000024
【図２３】
2017120315.tif 000025
【図２４Ａ】
2017120315.tif 000026
【図２４Ｂ】
2017120315.tif 000027
【図２５】
2017120315.tif 000028
【図２６Ａ】
2017120315.tif 000029
【図２６Ｂ】
2017120315.tif 000030